(57)【要約】【課題】不要時に扁平状に圧縮させてあるものを、必要時において通常使用形態へ楽にしかも迅速に変位させることができ、しかも通常使用形態を安定的に維持することのできる傘立てを提供する。【解決手段】本願傘立１は、上位に傘差口２、下位に傘受皿３をそれぞれ備えた側枠４を上下方向に伸長・圧縮可能に設け、該側枠４を圧縮状態から伸長方向へ付勢するバネ部材９を設けるとともに、前記側枠４の伸長最終点を画定するためのストッパ１０と、該伸長最終点を維持するための係止手段１５を備え、圧縮状態から側枠を上方へ向けて僅かに力を加えるように誘導するだけで軽く伸長最終点まで変位させることができるように構成した。【選択図】図１
2006051256.tif 000002
【特許請求の範囲】
【請求項１】
上位に傘差口、下位に傘受皿をそれぞれ備えた側枠を上下方向に伸長・圧縮可能に設け、該側枠を圧縮状態から伸長方向へ付勢するバネ部材を設けるとともに、前記側枠の伸長最終点を画定するためのストッパと、該伸長最終点を維持するための係止手段を備えたことを特徴とする傘立て。
【発明の詳細な説明】
【技術分野】
【０００１】
本発明は、不要時には圧縮して小さく仕舞え、必要時には通常使用形態に楽に変位させることのできる傘立てに関するものである。
【背景技術】
【０００２】
従来、この種の傘立ての第１型は、図４の如く、傘４０を挿入して立てる多数の筒状の穴をシート材で形成してなる傘立て枠４１と、該傘立て枠４１を吊設した開閉可能な支持脚４２とからなるものである（特開２０００−２７９３０６号）。この傘立ては、不要時に、同（ｂ）の如く、支持脚４２を畳むと、シート材からなる傘立て枠４１も圧縮され、畳んだ状態で仕舞える一方、必要時には、同（ａ）の如く、支持脚４２を開くと傘立て枠４１の筒状の穴も同時に開けられるようになっていた。
【０００３】
また、第２型の傘立ては、図５の如く、傘５０の差込口５０ａを設けた上板５１と、傘通し穴５０ｂを設けた中板５２と、傘受け皿５０ｃを設けた下板５３と、これらの各板をピン５４で枢支した支柱５５とからなるものである（特開２０００−０５１０４８号）。この傘立ては、不要時には、同（ｂ）の如く、支柱５５に対して上板５１、中板５２、下板５３をピン５４を中心に回動して傾斜させる。これにより各板は階段状にズレた状態で重なるために小さくして仕舞える一方、必要時には、同（ａ）の如く、各板５１、５２及び５３を、支柱５５に対して水平にして通常使用形態にするようになっていた。
【特許文献１】特開２０００−２７９３０６号
【特許文献２】特開２０００−０５１０４８号
【発明の開示】
【発明が解決しようとする課題】
【０００４】
しかしながら、前者（特開２０００−２７９３０６号）は、不要時、折り畳むときにシート材からなる傘立て枠４１の折り込みが面倒であったばかりでなく、必要時において支持脚４２を開くときには、シート材からなる傘立て枠４１も同時に開口させることから大きな力が必要になっていた。また、後者（特開２０００−０５１０４８号）は、不要時には支柱５５に対して傾斜させていた上板５１、中板５２及び下板５３を、必要時にいちいち水平に戻すという面倒な作業を伴った。したがって、両者共、雨に際して迅速に対応させ難かった。
【０００５】
本発明は、上記問題を解消するためのもので、その目的とするところは、不要時に扁平状に圧縮させてあるものを、必要時において通常使用形態へ楽にしかも迅速に変位させることができ、しかも通常使用形態を安定的に維持することのできる傘立てを提供することにある。
【課題を解決するための手段】
【０００６】
上記目的を達成するため、本発明に係る傘立は、上位に傘差口、下位に傘受皿をそれぞれ備えた側枠を上下方向に伸長・圧縮可能に設け、該側枠を圧縮状態から伸長方向へ付勢するバネ部材を設けるとともに、前記側枠の伸長最終点を画定するためのストッパと、該伸長最終点を維持するための係止手段を備え、圧縮状態から側枠を上方へ向けて僅かに力を加えるように誘導するだけで軽く伸長最終点まで変位させることができるように構成した。
【発明の効果】
【０００７】
本発明に係る傘立によれば、側枠の伸長最終点を維持するための係止手段を外して側枠を下向きに押し込めば、扁平状態に容易に変位するから小さく仕舞うことが可能である一方、圧縮状態にある側枠を上向きに僅かな力を加えるように誘導するだけで、側枠はバネ部材の作用により伸長方向へ楽に変位する。このように本発明は、小さく仕舞え、急の雨にも楽にしかも迅速に変位できるなど、各種の優れた効果を奏するものである。
【発明を実施するための最良の形態】
【０００８】
次に、本発明の実施するための最良の形態を図面に基づいて説明する。図１は本願傘立ての必要時における通常使用形態の斜視図、図２は本願傘立ての不要時における圧縮状態の斜視図、図３は本願傘立ての変位過程を略示的に示す正面図である。
【０００９】
１は本願傘立てで、該本願傘立て１は、上位に傘差口２、下位に傘受皿（図面上では明確にするため点模様で示す）３をそれぞれ備えた側枠４を有している。該側枠４は頭部が門形状に連繋した門形パイプ材（アルミ、ステンレス等）５、５を側面Ｘ状に配し、その交叉点をピンＰ1 を介して枢支してなる上枠４ａのそれぞれの脚側と、下部間を横杆６にて連繋した並列パイプ材（アルミ、ステンレス等）７、７を側面Ｘ状に配し、その交叉点をピンＰ2 を介して枢支してなる下枠４ｂのそれぞれの上腕側とを交叉させ、その交叉点をピンＰ3 にて屈伸自在に枢支してなる。
【００１０】
前記側枠４は、上枠４ａと下枠４ｂとがピンＰ1 及びＰ2 を中心としてそれぞれ開閉するとともに、Ｐ3 を中心として屈伸するため、全体として、図１の如く伸長することも、図２の如く扁平に圧縮することも可能となる。この圧縮時の扁平化をより良くするために門形パイプ材５、５と、並列パイプ材７、７をそれぞれ側面Ｘ状に配するときの重ね方及び上枠４ａの脚側と下枠４ｂの上腕側とを交叉させるときの重ね方が考慮されることは勿論である。なお、ここに上枠４ａと下枠４ｂとをアルミ、ステンレス等のパイプ材で構成したのは全体的に軽量化を図るためである。
【００１１】
前記側枠４の下枠４ｂを構成する並列パイプ材７、７の脚側の内側面には両端を軸支したコ字杆８、８を設け、該コ字杆８、８間には、バネ部材（例、コイルスプリング）９が緊張状態で渡設されている。このバネ部材９は、前記下枠４ｂの並列パイプ材７、７の脚側間を閉じる方向に引っ張って側枠４を伸長方向に付勢するためのものである。尤も、バネ部材９は下枠４ｂの並列パイプ材７、７が最も圧縮（接地面に対して平行状態・図２参照）した状態では中立になってしまうため、下枠４ｂを閉じる方向への引っ張り力（側枠４の伸長方向への付勢力）が制限されている。したがって、側枠４は圧縮した状態ではその形態がそのまま維持されるが、上枠４ａを軽く上方へ押し上げるように誘導すると、バネ部材９の中立状態は解除されて側枠４の伸長方向への付勢力が生じるようになる。
【００１２】
前記バネ部材９の作用により伸長する側枠４の伸長最終点（通常使用形態）は、ストッパ１０により画定されるようになっている。該ストッパ１０は前記上枠４ａを構成する門形パイプ材５、５の頭部寄りの内側面に両端を軸支させたコ字杆１１、１１の対向する膨出部１１ａ、１１ｂの先端同士が当接するように構成している。したがって、側枠４の伸長時に前記コ字杆１１、１１の膨出部１１ａ、１１ｂの先端同士が確実に当接するようにしている。このために前記膨出部１１ａ、１１ｂにはそれぞれガイド杆１２ａ、１２ｂを固着させている。すなわち、前記側枠４の伸長に伴って上枠４ａの頭部側が互いに接近するときに、前記膨出部１１ａ、１１ｂの先端同士は前記ガイド杆１２ａ、１２ｂにてガイドされて徐々に接近し、遂には当接するようになっている。
【００１３】
前記ガイド杆１２ａ、１２ｂは、平行する２条の鋼材で構成し、その尻端部にはそれぞれ連結杆１３ａ、１３ｂが固着されている。また、一方のガイド杆１２ａの先端には下向きにフック１４が形成され、他方のガイド杆１２ｂの尻端部に固着した連結杆１３ｂに係合できるようになっている。このフック１４と連結杆１３ｂは、前記側枠４の伸長最終点（通常使用形態）を維持するための係止手段１５を構成している。なお、係止手段１５は前記フック１４と連結杆１３ｂとの係合のみに限定されない。
【００１４】
前記係止手段（フック１４と連結杆１３ｂとの係合）１５の機能は、前記コ字杆１１、１１の対向する膨出部１１ａ、１１ｂの先端同士が前記ガイド杆１２ａ、１２ｂにてガイドされて接近・当接した時点（前記ストッパ１０により側枠４の伸長最終点が画定された時点）において生じる。すなわち、前記側枠４は伸長最終点（通常使用形態）が維持されることとなる。換言すれば、前記側枠４は、前記ガイド杆１２ａを上方に向けて回動させてその先端のフック１４を連結杆１３ｂから解除しない限り通常使用形態が安定的に保たれる。しかして、不要時、前記フック１４と連結杆１３ｂとからなる係止手段１５を解除して側枠４の上枠４ａの頭部を拡開させつつ下向きに押し下げると、簡易に圧縮方向に変位させることができることとなる。
【００１５】
前記傘差口２は、前記コ字杆１１、１１の膨出部１１ａ、１１ｂと、これに固着した前記ガイド杆１２ａ、１２ｂとにより構成されている。前記ガイド杆１２ａ、１２ｂは平行する２条の鋼材で構成しているため、前記膨出部１１ａ、１１ｂの空間はそれぞれ三分割されている。すなわち、本例では、都合６本分の傘が差し込めるように構成されている。この傘差口２は、前述の如く、前記コ字杆１１、１１の膨出部１１ａ、１１ｂの先端同士が当接したとき（ストッパ１０により側枠４の伸長最終点が画定したとき）に顕在化することとなる。
【００１６】
前記傘受皿３は、前記バネ部材９を緊張状態で渡設した前記コ字杆８、８上に取り付けられている。具体的には、傘受皿３は一方のコ字杆８及びこれより延びた延出枠８ａ上に底部の一部を止着（若干枢動できるとよい）１６した状態で乗っている。該延出枠８ａには他方のコ字杆８より延びた延出枠８ｂが嵌合し、先端側の横杆８ｂ′が滑るように重なっている。この横杆８ｂ′は、前記側枠４の伸長最終点（通常使用形態）では延出枠８ａに設けた凹曲部８ａ′に嵌入するため、傘受皿３は平ら（水平状態）に保たれる。一方、側枠４を最も圧縮させた時点では、これら延出枠８ａと延出枠８ｂの嵌合部は互いに延びきった状態になっている。換言すれば、側枠４を最も圧縮させた状態では傘受皿３は前記門形パイプ５、５と並列パイプ７、７との間に作られる扁平な空間内に収納されるようになる。
【００１７】
次に、本発明の作用を説明する。今、図３（ａ）の如く、通常使用形態にある本願傘立て１を圧縮して仕舞うに際し、前記係止手段１５を解除（フック１４を矢印Ａの如く連結杆１３ｂから外す）しつつ側枠４の上枠４ａの頭部を、矢印Ｂの如く、拡開させながら、矢印Ｃの如く、下向きに押し下げる。これにより上枠４ａと下枠４ｂとが、ピンＰ1 及びＰ2 を中心として開閉するとともに、上枠４ａの脚側と下枠４ｂの上腕側とがＰ3 を中心として狭窄する方向に折れ、本願傘立て１が全体としてバネ部材９に抗して圧縮されることとなる。
【００１８】
上記圧縮の進行で、側枠４の上位に備えた傘差口２を構成した前記コ字杆１１、１１の膨出部１１ａ、１１ｂの先端同士は、図３（ｂ）の如く、離反する（傘差口２の形態が消滅）とともに、側枠４の下位に備えた傘受皿３はこれが止着１６されている一方のコ字杆８及びこれより延びた延出枠８ａと一緒に一方向（図では左側）へ引かれる。また、側枠４の圧縮に伴い、前記延出枠８ｂの先端側の横杆８ｂ′が、前記延出枠８ａに設けた凹曲部８ａ′から脱出し、最終的に側枠４が、図３（ｃ）の如く、扁平化するとともに、前記傘受皿３は収納される。
【００１９】
次いで、小さく圧縮して仕舞ってあった本願傘立て１を雨に際して通常使用形態に伸長させるには、まず、上枠４ａの頭部を、図３（ｃ）の矢印Ｃ′の如く、軽く上方へ押し上げるように誘導する。この誘導がない状態では、本願傘立て１は圧縮状態が維持されたままになっている。すなわち、最も圧縮させた状態では、下枠４ｂを構成する並列パイプ材７、７の脚側の内側面に軸支したコ字杆８、８間に緊張状態で渡設したバネ部材９は中立状態にあり、バネ部材９の引っ張り力のみでは側枠４は伸長されないためである。
【００２０】
上述の如く、上枠４ａの頭部を上方へ継続して誘導すると、ある時点よりバネ部材９の中立状態が解除され、下枠４ｂを構成する並列パイプ材７、７の脚側には、図３（ｂ）の如く、バネ部材９の強い引っ張り力が作用することとなるから、側枠４は軽い力でグングン伸長する。
【００２１】
前記バネ部材９の作用と、上枠４ａの頭部の上方への誘導とで伸長してきた側枠４は伸長最終点が、図３（ａ）の如く、ストッパ１０により画定される。このストッパ１０の作用は、前記上枠４ａを構成する門形パイプ材５、５のそれぞれの頭部寄りの内側面に両端を軸支させたコ字杆１１、１１の対向する膨出部１１ａ、１１ｂの先端同士が当接することにより完結する。そして、その伸長最終点は係止手段（フック１４と連結杆１３ｂとの係合）１５の作用により維持される。換言すれば、前記側枠４は、前記係止手段１５を解除しない限り通常使用形態を継続して保つこととなる。
【産業上の利用可能性】
【００２２】
本願傘立ては、上述の如く、不要時には圧縮して小さく仕舞え、必要時には通常使用形態に楽に変位させることができるから、家庭は勿論、人の集まる会社、事務所その他の場所などの玄関口に設置して利用可能性が極めて大きいものである。
【図面の簡単な説明】
【００２３】
【図１】本願傘立ての必要時における通常使用形態の斜視図である。
【図２】本願傘立ての不要時における圧縮状態の斜視図である。
【図３】本願傘立ての変位過程を略示的に示す正面図である。
【図４】従来の第１型の傘立てと、その不要時を示す正面図である。
【図５】従来の第２型の傘立てと、その不要時を示す正面図である。
【符号の説明】
【００２４】
１  本願傘立て
２  傘差口
３  傘受皿
４  側枠
４ａ  上枠
４ｂ  下枠
５  門形パイプ材
６  横杆
７  並列パイプ材
８  コ字杆
８ａ、８ｂ  延出枠
８ａ′  凹曲部
８ｂ′  横杆
９  バネ部材（例、コイルスプリング）
１０  ストッパ
１１  コ字杆
１１ａ、１１ｂ  膨出部
１２ａ、１２ｂ  ガイド杆
１３ａ、１３ｂ  連結杆
１４  フック
１５  係止手段
１６  止着
Ｐ1 、Ｐ2 、Ｐ3
ピン
【図１】
2006051256.tif 000003
【図２】
2006051256.tif 000004
【図３】
2006051256.tif 000005
【図４】
2006051256.tif 000006
【図５】
2006051256.tif 000007